(57)【特許請求の範囲】
【請求項１】
１以上のベルトモジュール（１４）からなる一連の列（７４）で構成された、外面（１２）を有するモジュール式コンベヤベルト（７０）と；
それぞれが個別の幅を有する複数の部品（２０、２２、２３、６４）を含んだ選択幅のアタッチメント（１０）であって、前記列の１つに隣接して並んだ層が整列した積層体で構成されて前記選択幅のアタッチメントを形成するアタッチメントと；
を具えており、
前記積層体の少なくとも１の前記部品が、前記アタッチメントが前記外面の外側に配置された状態で前記モジュール式コンベヤベルトに前記アタッチメントを結合するための結合構造（３４）を有しており、
前記積層体の最外層を形成する前記部品（２２、２３、６４）が、前記積層体の内側層を形成する前記部品（２０）と異なっており、前記積層体を形成する部品の個々の幅が、前記部品が連結される前記ベルトモジュールの幅よりも短いことを特徴とするコンベヤ。
【請求項２】
前記部品のうちの少なくとも２が異なる幅を有していることを特徴とする請求項１に記載のコンベヤ。
【請求項３】
前記整列した積層体の前記部品が、前記積層体を通る通路（２６）を形成する整列した穴部（２４）を有しており、前記積層体の整列を保持すべくロッド（２８）を収容し得ることを特徴とする請求項１又は２に記載のコンベヤ。
【請求項４】
前記モジュール式コンベヤベルトが、隣接するモジュール間の継ぎ目によって連続的に分けられた複数のベルトモジュール（１４）の一連の列を具えており、
前記アタッチメントが前記継ぎ目のうちの少なくとも１つに架かっていることを特徴とする請求項１乃至３のいずれか１項に記載のコンベヤ。
【請求項５】
前記アタッチメントが、前記モジュール式コンベヤベルトの前記外面から外側に延在するバケットを形成することを特徴とする請求項１乃至４のいずれか１項に記載のコンベヤ。
【請求項６】
前記部品（２０）のうちの少なくともいくつかが、略Ｃ形状であることを特徴とする請求項１乃至４のいずれか１項に記載のコンベヤ。
【請求項７】
前記モジュール式コンベヤベルトが、前記コンベヤベルトの前記外面の幅にわたって間隔を空けて直立した支持部（３６）であって、それを通る開口部（３８）を具える支持部（３６）を有しており、
前記結合構造が、前記支持部の前記開口部と並んだ開口部（３２）を有しており、さらに、並んだ前記開口部に受容される結合ピン（３０）を具えており、前記モジュール式コンベヤベルトに前記アタッチメントを結合することを特徴とする請求項１乃至４のいずれか１項に記載のコンベヤ。
【請求項８】
前記結合構造が歯部を有しており、
前記モジュール式コンベヤベルトが、前記歯部を受容するための受容可能な開口したレセプタクル（３９）を前記外面に有していることを特徴とする請求項１乃至７のいずれか１項に記載のコンベヤ。
【請求項９】
前記内側層を形成している部品（２０）が、前記積層体の隣接する部品の第２及び第１のエッジに接触する反対側の第１及び第２のエッジ（４６、４７）を有し、
前記第１のエッジが、前記第１のエッジの全長に沿って延びるビード（ｂｅａｄ）（４４）を有しており、
前記第２のエッジが、前記第２のエッジの全長に沿って延び、且つ、前記隣接する部品の前記第１のエッジの前記ビードを受容する溝部（４８）を有することを特徴とする請求項１乃至８のいずれか１項に記載のコンベヤ。
【請求項１０】
１以上のベルトモジュール（１４）からなる一連の列（７４）で構成されたモジュール式コンベヤベルト用のアタッチメントであって、
それぞれが個別の幅を有し、前記列の１つに隣接して並んだ層が整列した積層体で構成された複数の部品（２０、２２、２３、６４）と；
前記部品の層を相互に結合して選択幅の前記積層体を形成するための手段と；
を具えており、
前記積層体の前記部品の少なくとも１が、モジュール式コンベヤベルトに前記アタッチメントを結合するための結合構造（３４）を有しており、
前記積層体が、１対の外側層の間に挟まれた内側層を有しており、
前記内側層を形成する部品（２０）が、最外層を形成する前記部品（２２、２３、６４）と断面が異なっており、前記積層体を形成する部品の個々の幅が、前記部品が連結される前記ベルトモジュールの幅よりも短いことを特徴とするアタッチメント。
【請求項１１】
前記結合手段が、前記積層体を通って延在する通路（２６）を形成するそれぞれの前記部品の整列した穴部（２４）と、前記通路を通って延在するロッド（２８）と、前記部品の層を一緒に保持するための前記ロッドの端部の締結具（２９）と、を具えていることを特徴とする請求項１０に記載のアタッチメント。
【請求項１２】
前記内側層を形成する部品（２０）が、前記積層体の隣接する部品の第２及び第１のエッジに接触する反対側の第１及び第２のエッジ（４６、４７）を有しており、
前記第１のエッジが、前記第１のエッジの全長に沿って延びるビード（４４）を有しており、
前記第２のエッジが、前記第２のエッジの全長に沿って延び、且つ、前記隣接する部品の前記第１のエッジの前記ビードを受容する溝部（４８）を有することを特徴とする請求項１０又は１１に記載のアタッチメント。
【請求項１３】
前記内側層を形成する前記部品（２０）が略Ｃ形状であることを特徴とする請求項１０又は１１に記載のアタッチメント。
【発明の詳細な説明】
【技術分野】
【０００１】
本発明は、概略的に、動力駆動のコンベヤベルトに関し、特に、積み重なった層で部品が形成されるモジュール式のコンベヤベルトアタッチメントに関する。
【背景技術】
【０００２】
一般に、平らなコンベヤベルトは、多くの場合、運ぶための特定な適用に合うような装備を有している。フライト（ｆｌｉｇｈｔ）、バケット又はへら（ｓｃｏｏｐ）をコンベヤベルトに付けることで、物品、液体、又は凝集体を上に傾けて運び易くする。これらの装備は、ベルト又はベルトモジュールに一体成形され、又はベルトに取り付けられる別々の部品である。装備を具えたプラスチックのベルト式モジュールの幾何学的形状が、一体部品として成形することを困難にする場合、別々に装備を成形してコンベヤベルトに取り付け得る。しかしながら、ある装備自身が成形を困難にする幾何学的形状を有する可能性がある。例えば、閉鎖端及びアンダーカットした部分を有する部分が成形を困難にする可能性がある。さらに、ベルトモジュールに一体成形されようが又は別々に成形されようが、一定の寸法を有する装備がある適用例に最適に適合しない可能性がある。
【発明の概要】
【０００３】
本発明に係る態様を実施するコンベヤによって、これらの及び他の欠点を克服する。一態様では、コンベヤが、モジュール式コンベヤベルトと、選択幅のアタッチメントと、を具えている。アタッチメントは、隣接する並んだ層が整列した積層体で構成された個別の幅の部品でできている。積層体の少なくとも１の部品が、ベルトの外面の外側のモジュール式コンベヤベルトにアタッチメントを結合するための結合構造を有している。
【０００４】
本発明の別の態様では、モジュール式コンベヤ用のアタッチメントが、複数の部品であって、それぞれが個別の幅を有し、隣接する並んだ層が整列した積層体で構成された複数の部品を具えている。結合手段が、層を保持して選択幅の積層体を形成する。積層体の少なくとも１の部品が、モジュール式コンベヤベルトにアタッチメントを結合する結合構造を有している。
【０００５】
本発明に係る別の態様が、選択幅のモジュール式コンベヤベルトのアタッチメントを組み立てるための方法が：（ａ）個別の幅を有する一連のコンベヤベルトのアタッチメント部品を、選択幅の隣り合う並んだ層が整列した積層体に配列するステップと；（ｂ）コンベヤベルトへの取付の前に部品の積層体を結合してアタッチメントを形成するステップと；を具えている。
【図面の簡単な説明】
【０００６】
以下の説明、添付の特許請求の範囲、及び添付図面を参照することによって、本発明のこれらの形態及び態様をその利点とともに、より良く理解される。
【０００７】
【図１】図１は、本発明の態様を実施する積層型アタッチメントの典型的な種類の等角図である。
【図２】図２は、コンベヤベルトモジュールへの取付を示す図１の積層型アタッチメントの分解図である。
【図３】図３Ａ及び３Ｂは、図１の積層型アタッチメントの内側部品の各面の斜視図である。
【図４】図４Ａ及び４Ｂは、図１の積層型アタッチメントの最外部品のうちの一方の両面の斜視図である。
【図５】図５Ａ及び５Ｂは、図１の積層型アタッチメントの他方の最外部品の両面の斜視図である。
【図６】図６は、図１の積層型アタッチメントを具えたモジュール式ベルトコンベヤの等角図である。
【発明を実施するための形態】
【０００８】
本発明に係る態様を実施する積層型アタッチメントを図１及び図２に示す。図示するアタッチメントは、１又はそれ以上のコンベヤベルトモジュール１４の外面１２に取り付けられるバケット１０である。このバケットは、その６つの面のうち５つが閉じた略矩形状の角柱である。その開口する側は、持ち上げられる物品がそれを通してバケットの中に入る口部１６を形成する。コンベヤベルトは、バケットの口部がリードする状態で（口部を先頭として）ベルトの移動方向１８に前進する。
【０００９】
バケットは、内側部品２０、右端部品２２、及び左端部品２３といった部品の集まりで構成されている。各部品は、好適には、ポリエチレン、ポリプロピレン、又はナイロンといった熱可塑性ポリマーから個別に成形される。その閉じた面を具えたバケット全体の幾何学的形状及びその開口に沿った張り出した舌部が、一体の部品としてバケットを成形することを困難にしている。これは、バケットが積層構成に適しているためである。バケットの各部品は積層体の個別の層を形成し、最外層の間に内側層が並列に挟まれている。各部品は、他の部品の幅と同じか又は異なる個別の幅を有している。本実施例では、内側部品２０が全て同じ幅を有しており、最外部品２２，２３が同じ幅を有している。最外部品の幅は、内側部品の幅よりも小さい。任意の数の個別の幅のこれらの部品を並べて積層して積層体を形成することによって、選択幅のバケットを作製し得る。
【００１０】
図２に示すように、各部品は３つの穴２４を有している。各穴は積層体の他の部品の同じ穴と整合している。整合した穴の３つのセットが、積層した層を通って延びる横方向の通路２６を形成する。ロッド２８が通路に受容される。このロッドは、ボルト又はナット２９用に両端にネジを切ったものであり、一直線上に層を纏めるよう固定具として機能する。このように、ロッド及びその固定具とともに積層体の揃った穴が、層を結合するための手段を構成する。
【００１１】
積層したバケット１０は、ピン３０で結合することによって１又はそれ以上のベルトモジュール１４に取り付けられる。少なくともいくつかの部品が、結合構造３４に形成された開口部３２を有している。本実施例では、結合構造が、モジュール式ベルトの外面１２に取り付けるバケットの側面から延びる台形の歯部を形成する。直立した支持体３６がベルトモジュールの幅にわたって間隔を空けて並んでいる。バケットがベルトの所定の位置に位置すると、支持体の開口３８がバケットの歯部の開口と揃う。結合ピン３０が整合したこれらの開口を通って延びて、バケットアタッチメントをベルトに堅く保持する。アタッチメントは、結合ピンから取り外すことによって交換のために容易に取り外される。ベルトモジュールの外面のレセプタクル３９は歯部の端部を受容して、取り付けたバケットを安定化させる。
【００１２】
図１に示すように、バケットの選択幅は図示したベルトモジュールの幅を超えているが、モジュールの幅と等しいか又はそれよりも小さい幅のバケットを選んでもよい。図２に示すように、バケットが、並んでいる２のベルトモジュールに取り付けられている。また、図示するように、バケットの層を形成する部品の個別の幅は、部品が取り付けられるベルトモジュールの幅よりも小さい。
【００１３】
バケットの内側部品２０の態様を図３Ａ及び３Ｂに示す。この部品は、Ｃ形の端部に舌部４０，４１を具えたＣ形である。外側舌部４０がＣ形の口の上方に延びている。内側舌部４１がこの口から外側に延びており、ベルトの外面に載る脚部として機能してバケットの支持を補助する。また、別の支持脚４２が内側部品の内面から延びている。取付開口３２を具えた歯部３４が、舌部とＹ形の脚部との間にある。リブ、又はビード（ｂｅａｄ）４４が、部品の右側エッジ４６の全長の大部分に延びている。このビードは、部品の左側エッジ４７の中に凹んだ相補的な溝部４８と整合する。さらに、このようなビード及び溝部の構成により、積層体の層が揃い易くなり、バケットが防水となる。穴２６が補強ボス５０を通って延びている。
【００１４】
図４Ａ及び４Ｂに示す最外部品２２がバケットの右側の閉鎖端を形成する。右端部品の内側エッジ５２は、隣接する内側部品のビードを受容する大きさであるという点で内側部品のエッジの溝部に似た溝部４８を有している。エンドプレート５４がバケットの閉鎖端を形成する。右端部品にエンドプレートが設けられ及びこれに結合構造がないことを除けば、エンドプレートと平行な面における部品の断面が、図３Ａ及び３Ｂの内側部品のそれと略同一である。右端部品の外面５６は、端部部品の外面の周囲を形成する突出リム６０間を延びる補強リブ５８を有している。エンドプレートを通る開口部６２に結合ピンを通すことが可能である。
【００１５】
左側の最外部品６４を図５Ａ及び５Ｂに示す。この部品は、その内側エッジ６６に沿った溝部の代わりにビード４４を有する点を除いて、反対側の閉鎖端の部品と同じである。さらに、右側部品が有するような円形の開口部を有する代わりに、左側部品は開口スロット６８を有しており、結合構造の中に結合ロッドを入れることが可能である。
【００１６】
積層したバケットアタッチメント１０を有するモジュール式のコンベヤベルト７０を、図６の鉛直に向いたコンベヤ７２で示す。鉛直に向いたコンベヤを、例えば、鉛直方向に動くウォータスクリーンとして使用してもよい。このような適用例におけるバケットを使用して、危険な冷却水又はタービンの吸入口の正面から魚又は他の水生生物を離すよう持ち上げてもよい。図２に示すようにベルトにバケットが結合され、ベルトの外面７３の外側に延びる。コンベヤベルトは、図１及び２のような１又はそれ以上のベルトモジュール１４の一連の列７４で構成されている。ベルトモジュールは、好適には、ベルトの厚さを通して延びる穿孔７６を有しており、水が流れ得る。モジュールは、各列が隣接するモジュール間の継ぎ目７８を具えて並んで構成されている。またモジュールは、好適には、強度のためにれんが積みのパターンで並べられている。列の先端及び後端に沿ったヒンジの目（図１の符号８０）が、隣接する列の隣接する端部に沿ったヒンジの目に対して交互に配置されている。並んだヒンジの目に挿入されたヒンジロッド８２が、列を接合し得るヒンジ結合部で隣接するベルトの列を結合する。バケットの積層構成により特定の要求に合う様々な幅にそれを作製し得る。バケットアタッチメントは１つのモジュールに取り付けてよく、又は隣接するモジュール間の継ぎ目に架けてもよい。
【００１７】
好適な種類を参照して本発明を詳細に説明したが、他の種類が可能である。バケットの他に、層状に構成可能な他のアタッチメントは、例えば、真っ直ぐなフライト（ｆｌｉｇｈｔ）、穴の開いたフライト、リブの付いたフライト、及び湾曲又は曲がったフライト又はへら（ｓｃｏｏｐ）を有している。他の実施例では、結合構造を有し又はこれを有しない異なる幅で内側層を成形することができ、様々な幅のアタッチメントを作製し得る。図示する結合構造は一例を表している。他の実施例は、オフセットして並んだ穴を通る２つの結合ピン及びベルト構造に引っ掛かる結合構造を有している。このように、これらの数例が示すように、本発明の範囲及び精神は、詳細に説明された種類に限定されることを意味するものではない。
【図１】
0005394260.tif 000002
【図２】
0005394260.tif 000003
【図３Ａ】
0005394260.tif 000004
【図３Ｂ】
0005394260.tif 000005
【図４Ａ】
0005394260.tif 000006
【図４Ｂ】
0005394260.tif 000007
【図５Ａ】
0005394260.tif 000008
【図５Ｂ】
0005394260.tif 000009
【図６】
0005394260.tif 000010